(57)【要約】      （修正有）【課題】ケーブルを案内するためのフェアリーダを提供する。【解決手段】ケーブルの最小曲率半径が維持され、フェアリーダは、第１の側部要素及び第２の側部要素、並びに第１の側部要素と第２の側部要素の間に支持された少なくとも２つの滑車９を有するブロックであって、滑車９が平行な回転軸の周りで回転することができるようにするブロックと、少なくとも２つの滑車の周りのループ状の継目なし弾性二重湾曲ベルト８と、第１の側部要素と第２の側部要素の間を延在する少なくとも１つのブロック・キャリア・ボウであって、アーチ形移動通路を形成する内部円セグメントを有する開口を画定する少なくとも１つのブロック・キャリア・ボウと、少なくとも１つの移動ボウ接触要素を含む懸垂構造であって、滑車９の前記平行な回転軸に対して平行の平面内のアーチ形移動通路に沿って通る移動キャリッジを形成する懸垂構造とを備える。【選択図】図５
0003201005.tif 000002
【実用新案登録請求の範囲】
【請求項１】
ケーブル（６）を案内するためのフェアリーダであって、
第１の側部要素（２）及び第２の側部要素（２）、並びに前記第１の側部要素（２）と第２の側部要素（２）の間に支持された少なくとも１つの滑車（９）を有するブロックであって、前記少なくとも１つの滑車が平行な回転軸の周りで回転することができるようにするブロックと、
前記第１の側部要素（２）と第２の側部要素（２）の間を延在する少なくとも１つのブロック・キャリア・ボウ（１）であって、アーチ形移動通路を形成する内部円セグメントを有する開口を画定する少なくとも１つのブロック・キャリア・ボウと、
少なくとも１つの移動ボウ接触要素（３、４）を含む懸垂構造（５）であって、前記懸垂構造と係合している前記ブロック・キャリア・ボウが軌道旋回するフェアリーダを提供するよう、前記滑車の前記平行な回転軸に対して平行の平面内のアーチ形移動通路に沿って通る移動キャリッジを形成する懸垂構造と
を備えるフェアリーダ。
【請求項２】
第１の側部要素（２）及び第２の側部要素（２）を有する前記ブロックが、前記第１の側部要素（２）と第２の側部要素（２）の間に支持された少なくとも２つの滑車を備え、前記少なくとも２つの滑車が平行な回転軸の周りで回転することができるようにする、請求項１に記載のフェアリーダ。
【請求項３】
前記フェアリーダが、前記少なくとも２つの滑車の周りのループ状の継目なし弾性ベルト（１２）をさらに備える、請求項１又は２に記載のフェアリーダ。
【請求項４】
前記継目なし弾性ベルト（１２）が二重湾曲ベルトである、請求項３に記載のフェアリーダ。
【請求項５】
前記少なくとも１つのブロック・キャリア・ボウが、蝶番要素（１１）及び蝶番動作ボウ部分と、前記第１の側部要素（２）の上の前記蝶番動作ボウ部分の解放可能アタッチメントのための固定デバイス（１３）とを含む、請求項１から３までに記載のフェアリーダ。
【請求項６】
５個の滑車を含む、請求項１から４までに記載のフェアリーダ。
【請求項７】
間隔を隔てた２つの平行ブロック・キャリア・ボウ（１）が、前記第１の側部要素（２）と前記第２の側部要素（２）の間を延在し、前記懸垂構造（５）の一部を形成している懸垂板が前記間隔を隔てた平行ブロック・キャリア・ボウの間を延在し、前記少なくとも１つの移動ボウ接触要素が前記懸垂板に取り付けられる、請求項１から５までに記載のフェアリーダ。
【請求項８】
前記少なくとも１つの移動ボウ接触要素（３、４）が少なくとも１つのころがり要素である、請求項１から６までに記載のフェアリーダ。
【請求項９】
前記少なくとも１つの移動ボウ接触要素（３、４）が、前記懸垂板のそれぞれの側の少なくとも１つのころがり要素である、請求項７に記載のフェアリーダ。
【請求項１０】
それぞれのブロック・キャリア・ボウ（１）が、蝶番要素及び蝶番動作ボウ部分と、前記第１の側部要素の上のそれぞれの蝶番動作ボウ部分の解放可能アタッチメントのための固定デバイス（１３）とを含む、請求項７に記載のフェアリーダ。
【請求項１１】
前記少なくとも１つの移動ボウ接触要素が、低摩擦重合体の少なくとも１つのブロックである、請求項１から９までに記載のフェアリーダ。
【考案の詳細な説明】
【技術分野】
【０００１】
本考案はフェアリーダ(fairlead)・ブロックに関し、詳細には、使用中、その懸垂部分の周りで部分的に軌道旋回するフェアリーダ・ブロックに関する。
【背景技術】
【０００２】
従来のフェアリーダ・ブロックは、図１に描かれているような懸垂構造を含むことができる。図１の実施例によるブロックは、フェアリーダ・ブロックの懸垂システムの上部要素として示されている図の目（eye）の周りでピボット動作する。図１によるピボット動作するブロックは、ケーブルに対して最端部にその回転の中心を有しており、これは、ケーブルが横向き及び垂直方向の両方の運動にさらされる可能性があることを暗に意味している。これは、ケーブルの滑らかな供給及び巻取りが困難になる可能性があるため、多くの状況において重大な問題であり、これは、とりわけ沖合における船上の状況の場合に当てはまる。
【考案の概要】
【課題を解決するための手段】
【０００３】
ケーブルを案内するためのフェアリーダであって、前記ケーブルの最小曲率半径が維持され、前記フェアリーダは、
第１の側部要素及び第２の側部要素、並びに前記第１の側部要素と第２の側部要素の間に支持された少なくとも２つの滑車を有するブロックであって、前記滑車が平行な回転軸の周りで回転することができるようにするブロックと、
前記少なくとも２つの滑車の周りのループ状の継目なし弾性二重湾曲ベルトと、
前記第１の側部要素と第２の側部要素の間を延在する少なくとも１つのブロック・キャリア・ボウであって、アーチ形移動通路を形成する内部円セグメントを有する開口を画定する少なくとも１つのブロック・キャリア・ボウ(bow)と、
少なくとも１つの移動ボウ接触要素を含む懸垂構造であって、前記滑車の前記平行な回転軸に対して平行の平面内のアーチ形移動通路に沿って通る移動キャリッジを形成する懸垂構造と、
を備える。
【０００４】
他の実施例によるフェアリーダでは、少なくとも１つのブロック・キャリア・ボウは、蝶番要素及び蝶番動作ボウ部分、並びに第１の側部要素上の蝶番動作ボウ部分の解放可能アタッチメントのための固定デバイスを含む。
【０００５】
他の実施例のフェアリーダは５個の滑車を含む。
【０００６】
他の実施例のフェアリーダでは、間隔を隔てた２つの平行ブロック・キャリア・ボウは、第１の側部要素と第２の側部要素の間を延在し、懸垂構造の一部を形成している懸垂板は、前記間隔を隔てた平行ブロック・キャリア・ボウの間を延在し、前記少なくとも１つの移動ボウ接触要素は、前記懸垂板に取り付けられる。
【０００７】
他の実施例のフェアリーダでは、前記少なくとも１つの移動ボウ接触要素は、少なくとも１つのころがり要素である。
【０００８】
他の実施例のフェアリーダでは、前記少なくとも１つの移動ボウ接触要素は、懸垂板のそれぞれの側の少なくとも１つのころがり要素である。
【０００９】
他の実施例のフェアリーダでは、それぞれのブロック・キャリア・ボウは、蝶番要素及び蝶番動作ボウ部分、並びに第１の側部要素上のそれぞれの蝶番動作ボウ部分の解放可能アタッチメントのための固定デバイスを含む。
【００１０】
他の実施例のフェアリーダでは、前記少なくとも１つの移動ボウ接触要素は、低摩擦重合体の少なくとも１つのブロックである。
【００１１】
他の有利な特徴は、実用新案登録請求の範囲から明らかになるであろう。
【００１２】
本考案をより容易に理解できるようにするために、以下の説明には添付の図面が参照される。
【図面の簡単な説明】
【００１３】
【図１】従来技術のフェアリーダ・ブロックを示す図である。
【図２】本考案の一実施例による、懸垂構造に対して傾斜したフェアリーダ・ブロック及び傾斜していないフェアリーダ・ブロックを示す図である。
【図３】本考案の一実施例による、ベルトのための走行滑車を含むフェアリーダ・ブロックの詳細を示す図である。
【図４】本考案の一実施例による、懸垂構造に対して傾斜したフェアリーダ・ブロックの詳細を示す図である。
【図５】本考案の一実施例によるフェアリーダ・ブロックの分解詳細を示す図である。
【図６】本考案の一実施例による、傾斜した位置におけるフェアリーダ・ブロックを示す図である。
【図７】本考案の一実施例による、１つのボウが開位置に位置しているフェアリーダ・ブロックを示す図である。
【図８】本考案の一実施例による、１つのボウが開位置に位置しているフェアリーダ・ブロックを示す図である。
【図９】本考案の一実施例によるフェアリーダ・ブロックを示す図である。
【図１０】本考案の一実施例による、懸垂構造に対して傾斜したフェアリーダ・ブロックを示す図である。
【図１１】本考案の一実施例による、ベルトのための走行滑車を含むフェアリーダ・ブロックの詳細を示す図である。
【図１２】本考案の一実施例による、１つ又は複数のボウのための滑車を含むフェアリーダ・ブロックの詳細を示す図である。
【図１３】本考案の一実施例による、１つ又は複数のボウが開位置に位置しているフェアリーダ・ブロックの詳細を示す図である。
【図１４】本考案の一実施例による、懸垂構造に対して傾斜したフェアリーダ・ブロックを示す図である。
【考案を実施するための形態】
【００１４】
本考案は、軌道旋回するフェアリーダ・ブロックに関する。以下の説明では添付の図面が参照されることになるが、図面は必ずしもスケール通りではなく、また、図面に示されているすべての特徴が必須であるわけではなく、特徴のうちのいくつかは除外することも可能である。図面の目的は、本考案の理解を容易にすることである。
【００１５】
以下の説明では、ケーブル及びワイヤ、滑車及び綱車、ボウ、クラム及びエルボウ、ピン、コッタ・ボルト及びピボット点などの語は、交換可能に使用することができる。
【００１６】
従来のフェアリーダ・ブロックは、図１に描かれているような懸垂構造を含むことができる。図１の実施例によるブロックは、フェアリーダ・ブロックの懸垂システムの上部要素として示されている図の穴の周りでピボット動作する。図１によるピボット動作するブロックは、ケーブルに対して最端部にその回転の中心を有しており、これは、ケーブルが横向き及び垂直方向の両方の運動にさらされる可能性があることを暗に意味している。
【００１７】
それに対して、本考案によれば、回転の中心がケーブル自体とほぼ一致するフェアリーダ・ブロックが提供される。本考案の一態様によれば、ボウ１（単一ボウ又は二重ボウ）の曲率の焦点が、フェアリーダの１つ又は複数の滑車９又はスライド表面と実質的に一致するよう、ボウ１は、フェアリーダの１つ又は複数の滑車９部分又は接触面に対して調和するように設計される。回転の中心がフェアリーダを使用してケーブルを案内するための接触面と一致する設計は、荒れた海の沖合の船からであっても、ケーブルの滑らかな供給及び巻取りを提供する。ケーブル自体とほぼ一致するということは、回転の中心が半径１ｒ及びボウ１の曲率の半径ｒの２／３（［２／３＊ｒ，１＊ｒ］）以内に存在することを意味することを理解されたい。
【００１８】
図２は、本考案の原理によるフェアリーダ・ブロックの実例を示したもので、ケーブルの横向き及び垂直方向の運動は、図１に示されている従来技術の解決法とは対照的に、ケーブルに対して垂直の傾斜角には多少とも無関係であることが明確に示されている。
【００１９】
本考案の一態様によれば、ボウが懸垂システムに固定され、且つ、１つ又は複数の滑車９が回転すると、軸を介して滑るように動く逆の構造が同じく提供されることを理解されたい。本明細書において説明されるすべての実施例によれば、ボウ１は、懸垂部分においてボウが軌道旋回することを妨げ、且つ、フェアリーダ・ブロックを介してボウが軌道旋回することができるようにする意味で固定することができ、或いはこれとは逆に、懸垂部分において軌道旋回することができるようにし、且つ、フェアリーダ・ブロックで固定することができることを理解されたい。
【００２０】
本明細書において開示されるすべての実施例の他の態様によれば、ボウ１は、懸垂構造に対して、また、フェアリーダ・ブロックに対して自由に回転し／軌道旋回することができる。
【００２１】
以下、図面を参照して、同じ重要性を有する特定の実施例について説明するが、図面に示されている特徴に限定されない。
【００２２】
「実施例１」
図２は、本考案の第１の実施例を示したものである。本考案の第１の実施例によれば、１つの単一滑車９を備えたフェアリーダ・ブロックが提供される。前記フェアリーダは、第１の側部要素２及び第２の側部要素２、並びに第１の側部要素２と第２の側部要素２の間に支持された滑車９を有するブロックを備えている。回転軸が、側部要素に対して直角に、且つ、側部要素の間に提供されており、前記回転軸は滑車の回転軸である。フェアリーダ・ブロックは、前記第１の側部要素２と第２の側部要素２の間を延在している１つのブロック・キャリア・ボウ１をさらに備えている。ブロック・キャリア・ボウ１は、アーチ形移動通路を形成している内部円セグメントを有する開口を画定している。また、フェアリーダは、少なくとも１つの移動ボウ接触要素３、４を含む懸垂構造５を同じく備えている。接触要素は、ローラ、ボール・レース、低摩擦表面又は接触表面、或いは当業者に知られている任意の低摩擦構造のうちのいずれであってもよい。懸垂構造は、ブロック・キャリア・ボウ１が懸垂構造と係合し、したがって軌道旋回するフェアリーダを提供するよう、滑車９の前記平行な回転軸に対して平行の平面内のアーチ形移動通路に沿って通る移動キャリッジを形成している。第１の実施例によるフェアリーダは、滑車に対してその上部端にリンク・スイベル（link swivel）５を備えることができる。任意選択のリンク・スイベルは、懸垂構造のための上部ピボット点を提供し、滑車の回転軸に対して垂直のフェアリーダ・ブロックの回転を容易にすることができる。
【００２３】
図２には、１本のケーブル用に適合された１つの溝を有する滑車が示されており、第１の実施例の一態様によれば、滑車９は、多数のケーブルのための多数の溝を備えることができる。
【００２４】
図２には、上記の滑車は、回転軸の周りで回転するように適合されていることが示されているが、第１の実施例の一態様によれば、滑車は低摩擦表面を備えることができ、したがって側部要素２に固定することができる。滑車は、１本又は複数本のケーブルを供給し、且つ、巻き取ることができる低摩擦表面を有する固定接触表面と交換することができることを理解されたい。
【００２５】
ボウ１は、ケーブル入口のための１つ又は２つのスプリット・リンク(split link)１３を備えることができることを理解されたい。さらに、第１の実施例によるボウ１は、図５〜７に示されているような単一ボウである。
【００２６】
第１の実施例の一態様によれば、フェアリーダを軌道旋回させるための逆の構造を提供することができ、上で示したようにボウを懸垂構造に固定することができることを理解されたい。
【００２７】
「実施例２」
図２は、本考案の第２の実施例を示したものである。本考案による第２の実施例は、ボウ１の設計の点で第１の実施例とは異なっている。本考案の第２の実施例によれば、ボウ１は、図１１〜１３に示されているような二重ボウである。懸垂システムは、第１の実施例によるねじ山又はスイベル(swivel)を備えることができる。二重ボウは、フェアリーダ・ブロック・ハウジングに固定されるように適合されている。さらに、二重ボウは懸垂構造に取り付けられている。二重ボウは蝶番を含んでおり、蝶番によって画定される回転軸の周りで二重ボウをピボット動作させることができる。
【００２８】
第２の実施例の一態様によれば、フェアリーダを軌道旋回させるための逆の構造を提供することができ、上で示したように二重ボウは懸垂構造に固定されることを理解されたい。
【００２９】
「実施例３」
図３乃至８は、本考案の第３の実施例による、多数の滑車９を有するフェアリーダ・ブロックの実例を示したものである。滑車は自由に回転し、フェアリーダ・ブロックの側部要素２に対して実質的に垂直のそれらの回転軸を有している。回転軸が、側部要素に対して垂直に、且つ、側部要素の間に提供されている。前記回転軸は、複数の滑車９のための回転軸である。フェアリーダ・ブロックは任意の適切な数の滑車を備えることができ、また、滑車のサイズは必ずしも同じサイズである必要はない。滑車の構成は設計の問題である。複数の滑車９を使用することの背後にある理論的根拠は、複数の滑車９を使用することにより、直径が大きい滑車を使用した場合ほどにはブロックのサイズを追加することなく、フェアリーダによって案内される１本又は複数本のケーブルの最小曲率が提供されることである。
【００３０】
第３の実施例の一態様によれば、フェアリーダは、自由に回転し、フェアリーダ・ブロックの側部要素２に対して実質的に垂直のそれらの回転軸を有するローラ１０を備えている。ローラは、図５及び６に示されているように、それらが滑車９の最端部縁と重畳するように寸法化することができる。これは、ローラの幅を滑車９の幅より実質的に狭くすることによって達成することができる。第３の実施例の一態様によれば、フェアリーダ・ブロックは３個の滑車を含み、第３の実施例の他の態様によれば、フェアリーダ・ブロックは４個の滑車を含み、本考案の第３の実施例のさらに他の態様によれば、フェアリーダ・ブロックは５個の滑車を含み、フェアリーダ・ブロックの第３の実施例のさらに他の態様では６個の滑車を含む。本考案の最後の態様では、フェアリーダは７個以上の滑車９を含む。
【００３１】
フェアリーダ・ブロックは、前記第１の側部要素２と第２の側部要素２の間を延在している１つのブロック・キャリア・ボウ１をさらに備えている。ブロック・キャリア・ボウ１は、アーチ形移動通路を形成している内部円セグメントを有する開口を画定している。また、フェアリーダは、少なくとも１つの移動ボウ接触要素３、４を含む懸垂構造５を同じく備えている。接触要素は、ローラ、ボール・レース、低摩擦表面又は接触表面、或いは当業者に知られている任意の低摩擦構造のうちのいずれであってもよい。懸垂構造は、ブロック・キャリア・ボウ１が懸垂構造と係合し、したがって軌道旋回するフェアリーダを提供するよう、滑車９の前記平行な回転軸に対して平行の平面内のアーチ形移動通路に沿って通る移動キャリッジを形成している。第１の実施例によるフェアリーダは、滑車に対してその上部端にリンク・スイベル５を備えることができる。任意選択のリンク・スイベルは、懸垂構造のための上部ピボット点を提供し、滑車の回転軸に対して垂直のフェアリーダ・ブロックの回転を容易にすることができる。
【００３２】
図３〜８には、１本のケーブル用に適合された１つの溝を有するベルト７、８、１２を有するフェアリーダが示されている。上記によれば、滑車９は、回転軸の周りで回転するように適合されているが、第１の実施例の一態様によれば、滑車は低摩擦表面を備えることができ、したがってそれらを側部要素２に固定することができる。滑車は、１本又は複数本のケーブルを供給し、且つ、巻き取ることができる低摩擦表面を有する固定接触表面と交換することができることを理解されたい。
【００３３】
ボウ１は、ケーブル入口のための１つ又は２つのスプリット・リンク１３を備えることができることを理解されたい。さらに、第１の実施例によるボウ１は、図５〜７に示されているような単一ボウである。
【００３４】
第３の実施例の一態様によれば、フェアリーダを軌道旋回させるための逆の構造を提供することができ、上で示したようにボウを懸垂構造に固定することができることを理解されたい。
【００３５】
「実施例４」
図９〜１３は、本考案の第４の実施例を示したものである。本考案による第４の実施例は、ボウ１の設計の点で第３の実施例とは異なっている。本考案の第４の実施例によれば、ボウ１は、図１１〜１３に示されているような二重ボウである。懸垂システムは、第１の実施例によるねじ山又はスイベルを備えることができる。二重ボウは、フェアリーダ・ブロック・ハウジングに固定されるように適合されている。さらに、二重ボウは懸垂構造に取り付けられている。二重ボウは蝶番を含んでおり、蝶番によって画定される回転軸の周りで二重ボウをピボット動作させることができる。
【００３６】
第４の実施例の一態様によれば、フェアリーダを軌道旋回させるための逆の構造を提供することができ、上で示したように二重ボウは懸垂構造に固定されることを理解されたい。
【００３７】
「実施例５」
本考案の第５の実施例に関しては図３乃至８を参照する。本考案の第５の実施例は、フェアリーダが滑車９の周りのループ状の継目なしベルト７、８、１２をさらに備えているため、本考案の第３の実施例とは異なっている。
【００３８】
継目なしベルト７、８、１２は弾性ベルトであってもよく、また、図に示されているように二重湾曲ベルトであってもよい。第５の実施例の他の態様では、継目なしベルトは、実質的に平らで／一様な表面を有しており、さらに他の態様では、ベルトは、複数のケーブルを受け取るように適合された複数の溝を備えている。
【００３９】
本考案の他の実施例では、ベルトは、多重リブ・ベルト用に適合された溝を有する滑車／ローラ／アイドラー・ローラと共に使用されるように適合された多重リブ・ベルトである。
【００４０】
図５及び６に示されているフェアリーダ・ブロックの分解組立図では、フェアリーダはベルト・テンショナー機構を備えていることが分かる。このベルト・テンショナー機構は、滑車９のうちの１つと係合しており、図ではこの機構は、フェアリーダの最も下にある滑車と係合している。
【００４１】
「実施例６」
図９〜１３は、本考案の第６の実施例を示したものである。本考案による第６の実施例は、ボウ１の設計の点で第５の実施例とは異なっている。本考案の第６の実施例によれば、ボウ１は、図１１〜１３に示されているような二重ボウである。懸垂システムは、第１の実施例によるねじ山又はスイベルを備えることができる。二重ボウは、フェアリーダ・ブロック・ハウジングに固定されるように適合されている。さらに、二重ボウは懸垂構造に取り付けられている。二重ボウは蝶番を含んでおり、蝶番によって画定される回転軸の周りで二重ボウをピボット動作させることができる。
【００４２】
第６の実施例の一態様によれば、フェアリーダを軌道旋回させるための逆の構造を提供することができ、上で示したように二重ボウは懸垂構造に固定されることを理解されたい。
【００４３】
「実施例７」
第７の実施例によれば、フェアリーダであって、直径が大きい滑車を使用した場合ほどにはブロックのサイズを追加することなく、該フェアリーダによって案内される１本又は複数本のケーブルの最小曲率を提供することができるフェアリーダが提供される。この実施例によれば、フェアリーダは、側部要素２の内側の溝と係合しているベルトを備えており、その係合は低摩擦係合であり、したがってベルトの回転を提供する。第７の実施例の他の態様では、ケーブルの供給及び巻取りを容易にすることができる低摩擦タイプの外部接触面を有するベルトが提供される。
【００４４】
本考案の第３、第４、第５、第６及び第７の実施例の他の態様
本考案の第３、第４、第５、第６及び第７の実施例の他の態様によれば、フェアリーダ・ブロックのためのピボット点１１が提供され、それにより、図６から分かるようにフェアリーダ・ブロックを容易に傾斜させることができる。
【００４５】
添付の図面の他の説明
図９は、ケーブル／ワイヤに対して平行の方向から見た、本考案の一実施例によるフェアリーダ・ブロックを開示したものである。ケーブルは任意のタイプのケーブルであってもよく、また、ブロックは、軌道旋回するブロックが必要である場合、どこででも使用することができる。
【００４６】
図１０は、図１のブロックと比較すると、傾斜した位置で軌道旋回するブロックを示したものである。このブロックは、図１に示されている垂直方向の位置と比較すると、少なくとも＋／−９０度で軌道旋回し／ピボット動作することができる。傾斜の最大角度は、ブロックに対する少なくとも１つのボウ固定構造の設計の問題である。
【００４７】
図１１はフェアリーダ・ブロックを詳細に示したもので、ベルトは多数の滑車の上を通っており、滑車は自由に回転し、ブロック・ハウジングの外壁に対して実質的に垂直のそれらの回転軸を有していることが分かる。本考案の目的を達成するためには少なくとも２つの滑車が必要であり、フェアリーダ・ブロックは任意の適切な数の滑車を備えることができ、また、滑車のサイズは必ずしも同じサイズである必要はない。滑車の構成は設計の問題である。フェアリーダ・ブロックの一実施例によれば３個の滑車を含み、他の実施例によれば、フェアリーダ・ブロックは４個の滑車を含み、本考案のさらに他の実施例によれば、フェアリーダ・ブロックは５個の滑車を含み、また、さらに他の実施例では、フェアリーダ・ブロックは６個の滑車を含む。
【００４８】
図１１は２つの円形ボウをさらに示しており、ボウは、フェアリーダ・ブロック・ハウジングに固定されるように適合されている。さらに、ボウは懸垂構造に取り付けられている。ボウは蝶番を含んでおり、蝶番によって画定される回転軸の周りで少なくとも１つのボウをピボット動作させることができる。
【００４９】
図１２は、フェアリーダ・ブロックのボウ及び懸垂構造に関連する詳細を示したものである。図は、上で説明した蝶番要素を示しており、さらに、多数の滑車が懸垂構造の中に配置されている。これらの滑車は、ボウが滑車の上を通る際のフェアリーダ・ブロックの軌道旋回挙動を容易にしている。図では、滑車構成は、ボウ毎に３個の滑車を含んでいる。しかしながら他の構成を適用することも可能であり、ボウは任意のスライド表面上を通ることができる。
【００５０】
図１３は、フェアリーダ・ブロックのボウ及び懸垂構造に関連する詳細を示したもので、ボウは開位置に位置していることが示されており、これは、ケーブル又はワイヤの取り付けを容易にしている。ボウは蝶番要素を含んでいることが分かる。これらの要素は、図６に開示されているようにボウの一部の上に提供することができ、或いは蝶番は、懸垂構造の垂直方向の中心線に対して、この垂直方向の中心線の両側に対称に提供することができる。それぞれのボウの上の２つの蝶番を使用して、湾曲したスペーサが前記蝶番の間に挿入されている。
【００５１】
また、図は、多数の滑車の上を通るベルトを同じく示しており、図６に開示されている実施例によるベルトは、二重湾曲ベルトであってもよい。
【００５２】
また、図は、フェアリーダ・ブロックのハウジングを取り付けた固定デバイスを同じく示している。この固定デバイスは、フェアリーダ・ブロックが動作している間、ボウを固定位置に固定垂直する。
【００５３】
図１４は、傾斜した位置におけるフェアリーダ・ブロックを示したものである。
【００５４】
懸垂構造中の滑車は、湾曲した表面−凹面又は凸面のためのローラになるように適合させることができる。
【図３】
0003201005.tif 000003
【図４】
0003201005.tif 000004
【図５】
0003201005.tif 000005
【図６】
0003201005.tif 000006
【図７】
0003201005.tif 000007
【図８】
0003201005.tif 000008
【図１４】
0003201005.tif 000009
【図１】
0003201005.tif 000010
【図２】
0003201005.tif 000011
【図９】
0003201005.tif 000012
【図１０】
0003201005.tif 000013
【図１１】
0003201005.tif 000014
【図１２】
0003201005.tif 000015
【図１３】
0003201005.tif 000016
【手続補正書】
【提出日】平成27年7月8日(2015.7.8)
【手続補正１】
【補正対象書類名】明細書
【補正対象項目名】全文
【補正方法】変更
【補正の内容】
【考案の詳細な説明】
【技術分野】
【０００１】
本考案はフェアリーダ(fairlead)・ブロックに関し、詳細には、使用中、その懸垂部分の周りで部分的に軌道旋回するフェアリーダ・ブロックに関する。
【背景技術】
【０００２】
従来のフェアリーダ・ブロックは、図１に描かれているような懸垂構造を含むことができる。図１の実施例によるブロックは、フェアリーダ・ブロックの懸垂システムの上部要素として示されている図の目（eye）の周りでピボット動作する。図１によるピボット動作するブロックは、ケーブルに対して最端部にその回転の中心を有しており、これは、ケーブルが横向き及び垂直方向の両方の運動にさらされる可能性があることを暗に意味している。これは、ケーブルの滑らかな供給及び巻取りが困難になる可能性があるため、多くの状況において重大な問題であり、これは、とりわけ沖合における船上の状況の場合に当てはまる。
【考案の概要】
【課題を解決するための手段】
【０００３】
ケーブルを案内するためのフェアリーダであって、前記ケーブルの最小曲率半径が維持され、前記フェアリーダは、
第１の側部要素及び第２の側部要素、並びに前記第１の側部要素と第２の側部要素の間に支持された少なくとも１つの滑車を有するブロックであって、前記滑車が平行な回転軸の周りで回転することができるようにするブロックと、
前記少なくとも１つの滑車の周りのループ状の継目なし弾性二重湾曲ベルトと、
前記第１の側部要素と第２の側部要素の間を延在する少なくとも１つのブロック・キャリア・ボウであって、アーチ形移動通路を形成する内部円セグメントを有する開口を画定する少なくとも１つのブロック・キャリア・ボウ(bow)と、
少なくとも１つの移動ボウ接触要素を含む懸垂構造であって、前記滑車の前記平行な回転軸に対して平行の平面内のアーチ形移動通路に沿って通る移動キャリッジを形成する懸垂構造と、
を備える。
【０００４】
他の実施例によるフェアリーダでは、少なくとも１つのブロック・キャリア・ボウは、蝶番要素及び蝶番動作ボウ部分、並びに第１の側部要素上の蝶番動作ボウ部分の解放可能アタッチメントのための固定デバイスを含む。
【０００５】
他の実施例のフェアリーダは５個の滑車を含む。
【０００６】
他の実施例のフェアリーダでは、間隔を隔てた２つの平行ブロック・キャリア・ボウは、第１の側部要素と第２の側部要素の間を延在し、懸垂構造の一部を形成している懸垂板は、前記間隔を隔てた平行ブロック・キャリア・ボウの間を延在し、前記少なくとも１つの移動ボウ接触要素は、前記懸垂板に取り付けられる。
【０００７】
他の実施例のフェアリーダでは、前記少なくとも１つの移動ボウ接触要素は、少なくとも１つのころがり要素である。
【０００８】
他の実施例のフェアリーダでは、前記少なくとも１つの移動ボウ接触要素は、懸垂板のそれぞれの側の少なくとも１つのころがり要素である。
【０００９】
他の実施例のフェアリーダでは、それぞれのブロック・キャリア・ボウは、蝶番要素及び蝶番動作ボウ部分、並びに第１の側部要素上のそれぞれの蝶番動作ボウ部分の解放可能アタッチメントのための固定デバイスを含む。
【００１０】
他の実施例のフェアリーダでは、前記少なくとも１つの移動ボウ接触要素は、低摩擦重合体の少なくとも１つのブロックである。
【００１１】
他の有利な特徴は、実用新案登録請求の範囲から明らかになるであろう。
【００１２】
本考案をより容易に理解できるようにするために、以下の説明には添付の図面が参照される。
【図面の簡単な説明】
【００１３】
【図１】従来技術のフェアリーダ・ブロックを示す図である。
【図２】本考案の一実施例による、懸垂構造に対して傾斜したフェアリーダ・ブロック及び傾斜していないフェアリーダ・ブロックを示す図である。
【図３】本考案の一実施例による、フェアリーダ・ブロックの詳細を示す図である。
【図４】本考案の一実施例による、懸垂構造に対して傾斜したフェアリーダ・ブロックの詳細を示す図である。
【図５】本考案の一実施例によるフェアリーダ・ブロックの分解詳細を示す図である。
【図６】本考案の一実施例による、傾斜した位置におけるフェアリーダ・ブロックを示す図である。
【図７】本考案の一実施例による、１つのボウが開位置に位置しているフェアリーダ・ブロックを示す図である。
【図８】本考案の一実施例による、１つのボウが開位置に位置しているフェアリーダ・ブロックを示す図である。
【図９】本考案の一実施例によるフェアリーダ・ブロックを示す図である。
【図１０】本考案の一実施例による、懸垂構造に対して傾斜したフェアリーダ・ブロックを示す図である。
【図１１】本考案の一実施例による、ベルトのための走行滑車を含むフェアリーダ・ブロックの詳細を示す図である。
【図１２】本考案の一実施例による、１つ又は複数のボウのための滑車を含むフェアリーダ・ブロックの詳細を示す図である。
【図１３】本考案の一実施例による、１つ又は複数のボウが開位置に位置しているフェアリーダ・ブロックの詳細を示す図である。
【図１４】本考案の一実施例による、懸垂構造に対して傾斜したフェアリーダ・ブロックを示す図である。
【考案を実施するための形態】
【００１４】
本考案は、軌道旋回するフェアリーダ・ブロックに関する。以下の説明では添付の図面が参照されることになるが、図面は必ずしもスケール通りではなく、また、図面に示されているすべての特徴が必須であるわけではなく、特徴のうちのいくつかは除外することも可能である。図面の目的は、本考案の理解を容易にすることである。
【００１５】
以下の説明では、ケーブル及びワイヤ、滑車及び綱車、ボウ、クラム及びエルボウ、ピン、コッタ・ボルト及びピボット点などの語は、交換可能に使用することができる。
【００１６】
従来のフェアリーダ・ブロックは、図１に描かれているような懸垂構造を含むことができる。図１の実施例によるブロックは、フェアリーダ・ブロックの懸垂システムの上部要素として示されている図の穴の周りでピボット動作する。図１によるピボット動作するブロックは、ケーブルに対して最端部にその回転の中心を有しており、これは、ケーブルが横向き及び垂直方向の両方の運動にさらされる可能性があることを暗に意味している。
【００１７】
それに対して、本考案によれば、回転の中心がケーブル自体とほぼ一致するフェアリーダ・ブロックが提供される。本考案の一態様によれば、ボウ１（単一ボウ又は二重ボウ）の曲率の焦点が、フェアリーダの１つ又は複数の滑車９又はスライド表面と実質的に一致するよう、ボウ１は、フェアリーダの１つ又は複数の滑車９部分又は接触面に対して調和するように設計される。回転の中心がフェアリーダを使用してケーブルを案内するための接触面と一致する設計は、荒れた海の沖合の船からであっても、ケーブルの滑らかな供給及び巻取りを提供する。ケーブル自体とほぼ一致するということは、回転の中心が半径１ｒ及びボウ１の曲率の半径ｒの２／３（［２／３＊ｒ，１＊ｒ］）以内に存在することを意味することを理解されたい。
【００１８】
図２は、本考案の原理によるフェアリーダ・ブロックの実例を示したもので、ケーブルの横向き及び垂直方向の運動は、図１に示されている従来技術の解決法とは対照的に、ケーブルに対して垂直の傾斜角には多少とも無関係であることが明確に示されている。
【００１９】
本考案の一態様によれば、ボウが懸垂システムに固定され、且つ、１つ又は複数の滑車９が回転すると、軸を介して滑るように動く逆の構造が同じく提供されることを理解されたい。本明細書において説明されるすべての実施例によれば、ボウ１は、懸垂部分においてボウが軌道旋回することを妨げ、且つ、フェアリーダ・ブロックを介してボウが軌道旋回することができるようにする意味で固定することができ、或いはこれとは逆に、懸垂部分において軌道旋回することができるようにし、且つ、フェアリーダ・ブロックで固定することができることを理解されたい。
【００２０】
本明細書において開示されるすべての実施例の他の態様によれば、ボウ１は、懸垂構造に対して、また、フェアリーダ・ブロックに対して自由に回転し／軌道旋回することができる。
【００２１】
以下、図面を参照して、同じ重要性を有する特定の実施例について説明するが、図面に示されている特徴に限定されない。
【００２２】
「実施例１」
図２は、本考案の第１の実施例を示したものである。本考案の第１の実施例によれば、１つの単一滑車を備えたフェアリーダ・ブロックが提供される。前記フェアリーダは、第１の側部要素及び第２の側部要素、並びに第１の側部要素と第２の側部要素の間に支持された滑車を有するブロックを備えている。回転軸が、側部要素に対して直角に、且つ、側部要素の間に提供されており、前記回転軸は滑車の回転軸である。フェアリーダ・ブロックは、前記第１の側部要素と第２の側部要素の間を延在している１つのブロック・キャリア・ボウをさらに備えている。ブロック・キャリア・ボウは、アーチ形移動通路を形成している内部円セグメントを有する開口を画定している。また、フェアリーダは、少なくとも１つの移動ボウ接触要素を含む懸垂構造を同じく備えている。接触要素は、ローラ、ボール・レース、低摩擦表面又は接触表面、或いは当業者に知られている任意の低摩擦構造のうちのいずれであってもよい。懸垂構造は、ブロック・キャリア・ボウが懸垂構造と係合し、したがって軌道旋回するフェアリーダを提供するよう、滑車の前記平行な回転軸に対して平行の平面内のアーチ形移動通路に沿って通る移動キャリッジを形成している。第１の実施例によるフェアリーダは、滑車に対してその上部端にリンク・スイベル（link swivel）を備えることができる。任意選択のリンク・スイベルは、懸垂構造のための上部ピボット点を提供し、滑車の回転軸に対して垂直のフェアリーダ・ブロックの回転を容易にすることができる。
【００２３】
図２には、１本のケーブル用に適合された１つの溝を有する滑車が示されており、第１の実施例の一態様によれば、滑車は、多数のケーブルのための多数の溝を備えることができる。
【００２４】
図２には、上記の滑車は、回転軸の周りで回転するように適合されていることが示されているが、第１の実施例の一態様によれば、滑車は低摩擦表面を備えることができ、したがって側部要素に固定することができる。滑車は、１本又は複数本のケーブルを供給し、且つ、巻き取ることができる低摩擦表面を有する固定接触表面と交換することができることを理解されたい。
【００２５】
ボウ１は、ケーブル入口のための１つ又は２つのスプリット・リンク(split link)を備えることができることを理解されたい。さらに、第１の実施例によるボウ１は、図５〜７に示されているような単一ボウである。
【００２６】
第１の実施例の一態様によれば、フェアリーダを軌道旋回させるための逆の構造を提供することができ、上で示したようにボウを懸垂構造に固定することができることを理解されたい。
【００２７】
「実施例２」
本考案による第２の実施例は、ボウ１の設計の点で第１の実施例とは異なっている。本考案の第２の実施例によれば、ボウ１は、図１１〜１３に示されているような二重ボウである。懸垂システムは、第１の実施例によるねじ山又はスイベル(swivel)を備えることができる。二重ボウは、フェアリーダ・ブロック・ハウジングに固定されるように適合されている。さらに、二重ボウは懸垂構造に取り付けられている。二重ボウは蝶番を含んでおり、蝶番によって画定される回転軸の周りで二重ボウをピボット動作させることができる。
【００２８】
第２の実施例の一態様によれば、フェアリーダを軌道旋回させるための逆の構造を提供することができ、上で示したように二重ボウは懸垂構造に固定されることを理解されたい。
【００２９】
「実施例３」
図５乃至８は、本考案の第３の実施例による、多数の滑車９を有するフェアリーダ・ブロックの実例を示したものである。滑車は自由に回転し、フェアリーダ・ブロックの側部要素２に対して実質的に垂直のそれらの回転軸を有している。回転軸が、側部要素に対して垂直に、且つ、側部要素の間に提供されている。前記回転軸は、複数の滑車９のための回転軸である。フェアリーダ・ブロックは任意の適切な数の滑車を備えることができ、また、滑車のサイズは必ずしも同じサイズである必要はない。滑車の構成は設計の問題である。複数の滑車９を使用することの背後にある理論的根拠は、複数の滑車９を使用することにより、直径が大きい滑車を使用した場合ほどにはブロックのサイズを追加することなく、フェアリーダによって案内される１本又は複数本のケーブルの最小曲率が提供されることである。
【００３０】
第３の実施例の一態様によれば、フェアリーダは、自由に回転し、フェアリーダ・ブロックの側部要素２に対して実質的に垂直のそれらの回転軸を有するローラ１０を備えている。ローラは、図５及び６に示されているように、それらが滑車９の最端部縁と重畳するように寸法化することができる。これは、ローラの幅を滑車９の幅より実質的に狭くすることによって達成することができる。第３の実施例の一態様によれば、フェアリーダ・ブロックは３個の滑車を含み、第３の実施例の他の態様によれば、フェアリーダ・ブロックは４個の滑車を含み、本考案の第３の実施例のさらに他の態様によれば、フェアリーダ・ブロックは５個の滑車を含み、フェアリーダ・ブロックの第３の実施例のさらに他の態様では６個の滑車を含む。本考案の最後の態様では、フェアリーダは７個以上の滑車９を含む。
【００３１】
フェアリーダ・ブロックは、前記第１の側部要素２と第２の側部要素２の間を延在している１つのブロック・キャリア・ボウ１をさらに備えている。ブロック・キャリア・ボウ１は、アーチ形移動通路を形成している内部円セグメントを有する開口を画定している。また、フェアリーダは、少なくとも１つの移動ボウ接触要素３、４を含む懸垂構造５を同じく備えている。接触要素は、ローラ、ボール・レース、低摩擦表面又は接触表面、或いは当業者に知られている任意の低摩擦構造のうちのいずれであってもよい。懸垂構造は、ブロック・キャリア・ボウ１が懸垂構造と係合し、したがって軌道旋回するフェアリーダを提供するよう、滑車９の前記平行な回転軸に対して平行の平面内のアーチ形移動通路に沿って通る移動キャリッジを形成している。第１の実施例によるフェアリーダは、滑車に対してその上部端にリンク・スイベル５を備えることができる。任意選択のリンク・スイベルは、懸垂構造のための上部ピボット点を提供し、滑車の回転軸に対して垂直のフェアリーダ・ブロックの回転を容易にすることができる。
【００３２】
図５〜８には、１本のケーブル用に適合された１つの溝を有するベルト８、１２を有するフェアリーダが示されている。上記によれば、滑車９は、回転軸の周りで回転するように適合されているが、第１の実施例の一態様によれば、滑車は低摩擦表面を備えることができ、したがってそれらを側部要素２に固定することができる。滑車は、１本又は複数本のケーブルを供給し、且つ、巻き取ることができる低摩擦表面を有する固定接触表面と交換することができることを理解されたい。
【００３３】
ボウ１は、ケーブル入口のための１つ又は２つのスプリット・リンク１３を備えることができることを理解されたい。さらに、第１の実施例によるボウ１は、図５〜７に示されているような単一ボウである。
【００３４】
第３の実施例の一態様によれば、フェアリーダを軌道旋回させるための逆の構造を提供することができ、上で示したようにボウを懸垂構造に固定することができることを理解されたい。
【００３５】
「実施例４」
図１１〜１３は、本考案の第４の実施例を示したものである。本考案による第４の実施例は、ボウ１の設計の点で第３の実施例とは異なっている。本考案の第４の実施例によれば、ボウ１は、図１１〜１３に示されているような二重ボウである。懸垂システムは、第１の実施例によるねじ山又はスイベルを備えることができる。二重ボウは、フェアリーダ・ブロック・ハウジングに固定されるように適合されている。さらに、二重ボウは懸垂構造に取り付けられている。二重ボウは蝶番を含んでおり、蝶番によって画定される回転軸の周りで二重ボウをピボット動作させることができる。
【００３６】
第４の実施例の一態様によれば、フェアリーダを軌道旋回させるための逆の構造を提供することができ、上で示したように二重ボウは懸垂構造に固定されることを理解されたい。
【００３７】
「実施例５」
本考案の第５の実施例に関しては図５乃至８を参照する。本考案の第５の実施例は、フェアリーダが滑車９の周りのループ状の継目なしベルト８、１２をさらに備えているため、本考案の第３の実施例とは異なっている。
【００３８】
継目なしベルト８、１２は弾性ベルトであってもよく、また、図に示されているように二重湾曲ベルトであってもよい。第５の実施例の他の態様では、継目なしベルトは、実質的に平らで／一様な表面を有しており、さらに他の態様では、ベルトは、複数のケーブルを受け取るように適合された複数の溝を備えている。
【００３９】
本考案の他の実施例では、ベルトは、多重リブ・ベルト用に適合された溝を有する滑車／ローラ／アイドラー・ローラと共に使用されるように適合された多重リブ・ベルトである。
【００４０】
図５及び６に示されているフェアリーダ・ブロックの分解組立図では、フェアリーダはベルト・テンショナー機構を備えていることが分かる。このベルト・テンショナー機構は、滑車９のうちの１つと係合しており、図ではこの機構は、フェアリーダの最も下にある滑車と係合している。
【００４１】
（削除）
【００４２】
（削除）
【００４３】
フェアリーダであって、直径が大きい滑車を使用した場合ほどにはブロックのサイズを追加することなく、該フェアリーダによって案内される１本又は複数本のケーブルの最小曲率を提供することができるフェアリーダもまた提供される。フェアリーダは、側部要素２の内側の溝と係合しているベルトを備えていても良く、その係合は低摩擦係合であり、したがってベルトの回転を提供する。実施例の他の態様では、ケーブルの供給及び巻取りを容易にすることができる低摩擦タイプの外部接触面を有するベルトが提供される。
【００４４】
本考案の第３、第４、第５の実施例の他の態様
本考案の第３、第４、第５の実施例の他の態様によれば、フェアリーダ・ブロックのためのピボット点１１が提供され、それにより、図６から分かるようにフェアリーダ・ブロックを容易に傾斜させることができる。
【００４５】
添付の図面の他の説明
図９は、ケーブル／ワイヤに対して平行の方向から見た、本考案の一実施例によるフェアリーダ・ブロックを開示したものである。ケーブルは任意のタイプのケーブルであってもよく、また、ブロックは、軌道旋回するブロックが必要である場合、どこででも使用することができる。
【００４６】
図１０は、図１のブロックと比較すると、傾斜した位置で軌道旋回するブロックを示したものである。このブロックは、図１に示されている垂直方向の位置と比較すると、少なくとも＋／−９０度で軌道旋回し／ピボット動作することができる。傾斜の最大角度は、ブロックに対する少なくとも１つのボウ固定構造の設計の問題である。
【００４７】
図１１はフェアリーダ・ブロックを詳細に示したもので、ベルトは多数の滑車の上を通っており、滑車は自由に回転し、ブロック・ハウジングの外壁に対して実質的に垂直のそれらの回転軸を有していることが分かる。本考案の目的を達成するためには少なくとも２つの滑車が必要であり、フェアリーダ・ブロックは任意の適切な数の滑車を備えることができ、また、滑車のサイズは必ずしも同じサイズである必要はない。滑車の構成は設計の問題である。フェアリーダ・ブロックの一実施例によれば３個の滑車を含み、他の実施例によれば、フェアリーダ・ブロックは４個の滑車を含み、本考案のさらに他の実施例によれば、フェアリーダ・ブロックは５個の滑車を含み、また、さらに他の実施例では、フェアリーダ・ブロックは６個の滑車を含む。
【００４８】
図１１は２つの円形ボウをさらに示しており、ボウは、フェアリーダ・ブロック・ハウジングに固定されるように適合されている。さらに、ボウは懸垂構造に取り付けられている。ボウは蝶番を含んでおり、蝶番によって画定される回転軸の周りで少なくとも１つのボウをピボット動作させることができる。
【００４９】
図１２は、フェアリーダ・ブロックのボウ及び懸垂構造に関連する詳細を示したものである。図は、上で説明した蝶番要素を示しており、さらに、多数の滑車が懸垂構造の中に配置されている。これらの滑車は、ボウが滑車の上を通る際のフェアリーダ・ブロックの軌道旋回挙動を容易にしている。図では、滑車構成は、ボウ毎に３個の滑車を含んでいる。しかしながら他の構成を適用することも可能であり、ボウは任意のスライド表面上を通ることができる。
【００５０】
図１３は、フェアリーダ・ブロックのボウ及び懸垂構造に関連する詳細を示したもので、ボウは開位置に位置していることが示されており、これは、ケーブル又はワイヤの取り付けを容易にしている。ボウは蝶番要素を含んでいることが分かる。これらの要素は、図６に開示されているようにボウの一部の上に提供することができ、或いは蝶番は、懸垂構造の垂直方向の中心線に対して、この垂直方向の中心線の両側に対称に提供することができる。それぞれのボウの上の２つの蝶番を使用して、湾曲したスペーサが前記蝶番の間に挿入されている。
【００５１】
また、図は、多数の滑車の上を通るベルトを同じく示しており、図６に開示されている実施例によるベルトは、二重湾曲ベルトであってもよい。
【００５２】
また、図は、フェアリーダ・ブロックのハウジングを取り付けた固定デバイスを同じく示している。この固定デバイスは、フェアリーダ・ブロックが動作している間、ボウを固定位置に固定垂直する。
【００５３】
図１４は、傾斜した位置におけるフェアリーダ・ブロックを示したものである。
【００５４】
懸垂構造中の滑車は、湾曲した表面−凹面又は凸面のためのローラになるように適合させることができる。
【手続補正２】
【補正対象書類名】実用新案登録請求の範囲
【補正対象項目名】全文
【補正方法】変更
【補正の内容】
【実用新案登録請求の範囲】
【請求項１】
ケーブル（６）を案内するためのフェアリーダであって、
第１の側部要素（２）及び第２の側部要素（２）、並びに前記第１の側部要素（２）と第２の側部要素（２）の間に支持された少なくとも１つの滑車を有するブロックであって、前記少なくとも１つの滑車が回転することができるようにするブロックと、
前記第１の側部要素（２）と第２の側部要素（２）の間を延在する少なくとも１つのブロック・キャリア・ボウ（１）であって、アーチ形移動通路を形成する内部円セグメントを有する開口を画定する少なくとも１つのブロック・キャリア・ボウと、
少なくとも１つの移動ボウ接触要素（３、４）を含む懸垂構造（５）であって、アーチ形移動通路に沿って通る移動キャリッジを形成する懸垂構造と
を備えるフェアリーダ。
【請求項２】
第１の側部要素（２）及び第２の側部要素（２）を有する前記ブロックが、前記第１の側部要素（２）と第２の側部要素（２）の間に支持された少なくとも２つの滑車を備え、前記少なくとも２つの滑車が平行な回転軸の周りで回転することができるようにする、請求項１に記載のフェアリーダ。
【請求項３】
前記フェアリーダが、前記少なくとも２つの滑車の周りのループ状の継目なし弾性ベルト（１２）をさらに備える、請求項１又は２に記載のフェアリーダ。
【請求項４】
前記継目なし弾性ベルト（１２）が二重湾曲ベルトである、請求項３に記載のフェアリーダ。
【請求項５】
前記少なくとも１つのブロック・キャリア・ボウが、蝶番要素（１１）及び蝶番動作ボウ部分と、前記第１の側部要素（２）の上の前記蝶番動作ボウ部分の解放可能アタッチメントのための固定デバイス（１３）とを含む、請求項１から３までに記載のフェアリーダ。
【請求項６】
５個の滑車を含む、請求項１から４までに記載のフェアリーダ。
【請求項７】
間隔を隔てた２つの平行ブロック・キャリア・ボウ（１）が、前記第１の側部要素（２）と前記第２の側部要素（２）の間を延在し、前記懸垂構造（５）の一部を形成している懸垂板が前記間隔を隔てた平行ブロック・キャリア・ボウの間を延在し、前記少なくとも１つの移動ボウ接触要素が前記懸垂板に取り付けられる、請求項１から５までに記載のフェアリーダ。
【請求項８】
前記少なくとも１つの移動ボウ接触要素（３、４）が少なくとも１つのころがり要素である、請求項１から６までに記載のフェアリーダ。
【請求項９】
前記少なくとも１つの移動ボウ接触要素（３、４）が、前記懸垂板のそれぞれの側の少なくとも１つのころがり要素である、請求項７に記載のフェアリーダ。
【請求項１０】
それぞれのブロック・キャリア・ボウ（１）が、蝶番要素及び蝶番動作ボウ部分と、前記第１の側部要素の上のそれぞれの蝶番動作ボウ部分の解放可能アタッチメントのための固定デバイス（１３）とを含む、請求項７に記載のフェアリーダ。
【請求項１１】
前記少なくとも１つの移動ボウ接触要素が、低摩擦重合体の少なくとも１つのブロックである、請求項１から９までに記載のフェアリーダ。
【請求項１２】
前記少なくとも１つの滑車は外周接触表面を有し、
前記懸垂構造（５）と係合している前記ブロック・キャリア・ボウ（１）は軌道旋回するフェアリーダを提供し、前記円セグメントの回転の中心である焦点は前記懸垂構造（５）に最も近い前記外周接触表面に一致する、
請求項１から６までに記載のフェアリーダ。